(57)【要約】【課題】  動画撮影におけるユーザ操作を煩雑にすることなく、動画撮影途中であっても容易に撮り直し可能とする。【解決手段】  動画を撮影するムービーモードにおいて、決定キー１０７が操作されると、動画の撮影を開始し、撮影した動画データをバッファであるＲＡＭ１３５に順次バッファリングする。そして、動画撮影中に、アドレスキー１０８（リスタート）が操作されると、ＲＡＭ１３５に保存されている動画データを消去（クリア）した後、そのまま、動画撮影を継続する。このため、特別な操作なく、アドレスキー１０８（リスタート）を操作するだけで、それまで撮影した動画が消去され、直ぐに新たな動画の撮影が継続される。【選択図】  図２
2005318189.tif 000002
【特許請求の範囲】
【請求項１】
撮像手段と、
動画撮影開始を指示する開始指示手段と、
この開始指示手段によって動画の記録が指示されると、前記撮像手段による撮像データを順次圧縮処理して動画ファイルを順次作成する動画作成手段と、
この動画作成手段によって作成された動画ファイルを順次保存する記憶手段と、
前記動画作成手段による動画ファイル作成中に撮り直しを指示する撮り直し指示手段と、
この撮り直し指示手段によって撮り直しが指示されると、前記開始指示手段による撮影開始より順次前記記憶手段に記憶される動画ファイルを消去する消去手段と、
この消去手段により動画ファイルが消去されると、再び前記開始指示手段による撮影を開始させる制御手段と
を備えたことを特徴とする動画撮影装置。
【請求項２】
前記消去手段は前記撮り直し指示手段によって撮り直しが指示されると、前記記憶手段に記憶された動画ファイルのうち撮り直し指示時点からＮ秒目以前のフレームを消去することを特徴とする請求項１に記載の動画撮影装置。
【請求項３】
撮像部、メモリ、及び、操作部を備える撮影装置における動画記録方法であって、
前記操作部の所定の操作を検出することにより動画撮影の開始を指示する開始指示ステップと、
この開始指示ステップにて動画の記録が指示されると、前記撮像部による撮像データを順次圧縮処理して動画ファイルを順次作成する動画作成ステップと、
この動画作成ステップにて作成された動画ファイルを前記メモリに順次保存させる記憶ステップと、
前記動画作成ステップによる動画ファイル作成中に、前記操作部の所定の操作を検出することにより撮り直しを指示する撮り直し指示ステップと、
この撮り直し指示ステップにて撮り直しが指示されると、前記開始指示ステップによる撮影開始より順次前記メモリに記憶される動画ファイルを消去する消去ステップと、
この消去ステップにより動画ファイルが消去されると、再び前記開始指示ステップによる撮影を指示する制御ステップと
からなることを特徴とする動画記録方法。
【請求項４】
撮像部、メモリ、及び、操作部を備える動画撮影装置における動画記録プログラムであって、
前記操作部の所定の操作を検出することにより動画撮影の開始を指示する開始指示ステップと、
この開始指示ステップにて動画の記録が指示されると、前記撮像部による撮像データを順次圧縮処理して動画ファイルを順次作成する動画作成ステップと、
この動画作成ステップにて作成された動画ファイルを前記メモリに順次保存させる記憶ステップと、
前記動画作成ステップによる動画ファイル作成中に、前記操作部の所定の操作を検出することにより撮り直しを指示する撮り直し指示ステップと、
この撮り直し指示ステップにて撮り直しが指示されると、前記開始指示ステップによる撮影開始より順次前記メモリに記憶される動画ファイルを消去する消去ステップと、
この消去ステップにより動画ファイルが消去されると、再び前記開始指示ステップによる撮影を指示する制御ステップと
をコンピュータに実行させることを特徴とする動画記録プログラム。
【発明の詳細な説明】
【技術分野】
【０００１】
本発明は、動画撮影装置、動画記録方法および動画記録プログラムに関する。
【背景技術】
【０００２】
従来より、デジタルカメラや携帯電話においては、静止画に加え、動画撮影機能を備えたものが一般的になってきている。該デジタルカメラでは、一般的に、動画の記録方式にＭｏｔｉｏｎＪＰＥＧ、ＭＰＥＧ（Ｍｏｔｉｏｎ Ｐｉｃｔｕｒｅ Ｅｘｐｅｒｔｓ Ｇｒｏｕｐ）１、ＭＰＥＧ２などの動画圧縮技術を用いている。また、携帯電話においては、メモリ使用効率を上げるために、動画ファイルの圧縮技術として、ＭＰＥＧ４などの動画圧縮技術を用いている。
【０００３】
ところで、上記デジタルカメラや携帯電話では、内部メモリや外部記録媒体に撮影した動画を記録するが、圧縮技術を用いているとは言え、動画ファイルの容量はかなり大きなものとなるため、内部メモリや外部記録媒体に録画しておくことが可能な動画ファイルのサイズや録画時間などには限度がある。したがって、ユーザとしては、無駄な撮影をできるだけ避けて撮影するか、残しておきたい動画ファイル以外を撮影後あるいは撮影直前に削除するかなどして、内部メモリや外部記録媒体を効率的に使用しなければならない。
【０００４】
例えば、従来技術として、ユーザが撮影時に記録容量を確保するためにサーチ操作を行うと、消去禁止に設定されているカットを表示せずに、消去しても構わないカットだけを表示することで、ユーザに直ぐに破棄するか否かを判断可能とし、ユーザが破棄すると判断した場合、直ちにそのカットの記録領域を次の撮影のために確保する技術が提案されている（例えば特許文献１参照）。
【０００５】
【特許文献１】特開平１１−１３６６１３号公報
【発明の開示】
【発明が解決しようとする課題】
【０００６】
しかしながら、上述した従来技術において、無駄な撮影をできるだけ避けて撮影するには、撮影中に残り時間あるいはメモリの残り容量で取りたいシーンを撮りきれない場合、ユーザは、撮影途中での撮影キャンセル操作、カメラの起動（プレビュー状態）、撮影開始操作という一連の動作を行わなくてはならず、操作が煩雑になり、直ぐに次の撮影を行うことができず、所望する撮影シーンを撮り逃す場合が生じるという問題がある。また、上述した従来技術（特許文献１）においても、サーチ操作、破棄指示、撮影開始操作という一連の動作を行わなくてはならず、同様の問題が生じる。
【０００７】
そこで本発明は、動画撮影におけるユーザ操作を煩雑にすることなく、動画撮影途中であっても容易に撮り直すことができる動画撮影装置、動画記録方法および動画記録プログラムを提供することを目的とする。
【課題を解決するための手段】
【０００８】
上記目的達成のため、請求項１記載の発明による動画撮影装置は、撮像手段と、動画撮影開始を指示する開始指示手段と、この開始指示手段によって動画の記録が指示されると、前記撮像手段による撮像データを順次圧縮処理して動画ファイルを順次作成する動画作成手段と、この動画作成手段によって作成された動画ファイルを順次保存する記憶手段と、前記動画作成手段による動画ファイル作成中に撮り直しを指示する撮り直し指示手段と、この撮り直し指示手段によって撮り直しが指示されると、前記開始指示手段による撮影開始より順次前記記憶手段に記憶される動画ファイルを消去する消去手段と、この消去手段により動画ファイルが消去されると、再び前記開始指示手段による撮影を開始させる制御手段とを備えたことを特徴とする。
【０００９】
また、好ましい態様として、例えば請求項２記載のように、請求項１に記載の動画撮影装置において、前記消去手段は前記撮り直し指示手段によって撮り直しが指示されると、前記記憶手段に記憶された動画ファイルのうち撮り直し指示時点からＮ秒目以前のフレームを消去するようにしてもよい。
【００１０】
また、上記目的達成のため、請求項３記載の発明による動画記録方法は、撮像部、メモリ、及び、操作部を備える撮影装置における動画記録方法であって、前記操作部の所定の操作を検出することにより動画撮影の開始を指示する開始指示ステップと、この開始指示ステップにて動画の記録が指示されると、前記撮像部による撮像データを順次圧縮処理して動画ファイルを順次作成する動画作成ステップと、この動画作成ステップにて作成された動画ファイルを前記メモリに順次保存させる記憶ステップと、前記動画作成ステップによる動画ファイル作成中に、前記操作部の所定の操作を検出することにより撮り直しを指示する撮り直し指示ステップと、この撮り直し指示ステップにて撮り直しが指示されると、前記開始指示ステップによる撮影開始より順次前記メモリに記憶される動画ファイルを消去する消去ステップと、この消去ステップにより動画ファイルが消去されると、再び前記開始指示ステップによる撮影を指示する制御ステップとからなることを特徴とする。
【００１１】
また、上記目的達成のため、請求項４記載の発明による動画記録プログラムは、撮像部、メモリ、及び、操作部を備える動画撮影装置における動画記録プログラムであって、前記操作部の所定の操作を検出することにより動画撮影の開始を指示する開始指示ステップと、この開始指示ステップにて動画の記録が指示されると、前記撮像部による撮像データを順次圧縮処理して動画ファイルを順次作成する動画作成ステップと、この動画作成ステップにて作成された動画ファイルを前記メモリに順次保存させる記憶ステップと、前記動画作成ステップによる動画ファイル作成中に、前記操作部の所定の操作を検出することにより撮り直しを指示する撮り直し指示ステップと、この撮り直し指示ステップにて撮り直しが指示されると、前記開始指示ステップによる撮影開始より順次前記メモリに記憶される動画ファイルを消去する消去ステップと、この消去ステップにより動画ファイルが消去されると、再び前記開始指示ステップによる撮影を指示する制御ステップとをコンピュータに実行させることを特徴とする。
【発明の効果】
【００１２】
請求項１記載の発明によれば、開始指示手段によって動画の記録が指示されると、動画作成手段により、前記撮像手段による撮像データを順次圧縮処理して動画ファイルを順次作成し、作成された動画ファイルを記憶手段に順次保存し、前記動画作成手段による動画ファイル作成中に、撮り直し指示手段によって撮り直しが指示されると、消去手段により、前記開始指示手段による撮影開始より順次前記記憶手段に記憶される動画ファイルを消去し、動画ファイルが消去されると、制御手段により、再び前記開始指示手段による撮影を開始させるようにしたので、動画撮影途中であっても容易に撮り直すことができるという利点が得られる。
【００１３】
請求項２記載の発明によれば、請求項１記載の発明においてさらに、前記撮り直し指示手段によって撮り直しが指示されると、前記消去手段により、前記記憶手段に記憶された動画ファイルのうち撮り直し指示時点からＮ秒目以前のフレームを消去するようにしたので、動画撮影途中であっても容易に撮り直すことができるという利点が得られる。
【００１４】
請求項３記載の発明によれば、開始指示ステップにて、前記操作部の所定の操作を検出することにより動画撮影の開始を指示し、動画の記録が指示されると、動画作成ステップにて、前記撮像部による撮像データを順次圧縮処理して動画ファイルを順次作成し、記憶ステップにて、作成された動画ファイルを前記メモリに順次保存し、動画ファイル作成中に、撮り直し指示ステップにて、前記操作部の所定の操作により撮り直しを指示されると、消去ステップにて、前記開始指示ステップによる撮影開始より順次前記メモリに記憶される動画ファイルを消去し、動画ファイルが消去されると、制御ステップにて、再び前記開始指示ステップによる撮影を指示するようにしたので、動画撮影途中であっても容易に撮り直すことができるという利点が得られる。
【００１５】
請求項４記載の発明によれば、前記操作部の所定の操作を検出することにより動画撮影の開始を指示する開始指示ステップと、この開始指示ステップにて動画の記録が指示されると、前記撮像部による撮像データを順次圧縮処理して動画ファイルを順次作成する動画作成ステップと、この動画作成ステップにて作成された動画ファイルを前記メモリに順次保存させる記憶ステップと、前記動画作成ステップによる動画ファイル作成中に、前記操作部の所定の操作を検出することにより撮り直しを指示する撮り直し指示ステップと、この撮り直し指示ステップにて撮り直しが指示されると、前記開始指示ステップによる撮影開始より順次前記メモリに記憶される動画ファイルを消去する消去ステップと、この消去ステップにより動画ファイルが消去されると、再び前記開始指示ステップによる撮影を指示する制御ステップとをコンピュータに実行させるようにしたので、動画撮影途中であっても容易に撮り直すことができるという利点が得られる。
【発明を実施するための最良の形態】
【００１６】
以下、本発明の実施の形態を、カメラ付き携帯電話およびデジタルカメラに適用した一実施例として、図面を参照して説明する。
【００１７】
Ａ．第１実施形態
Ａ−１．第１実施形態の構成
図１は、本発明の第１実施形態のカメラ付き携帯電話の外観図（開状態：正面図、側面図）である。カメラ付き携帯電話１は、蓋部２と本体部３とからなる二つ折り構造である。スピーカ１０１は、蓋部２の前面側に設けられており、電話モードにおける通話時には音声出力を行う。表示部（メイン表示部）１０２は、縦３２０×横２４０ドットの表示面積を有したＱＶＧＡの解像度のカラー液晶であり、ユーザが正規に操作する場合は、縦長の表示形態で撮影した画像やダウンロードした画像、最大Ｌサイズ（縦１４４ドット×横１７６ドットで表示される正規の縦横比サイズ）の動画が表示可能である。また、このメイン表示部１０２は、横長にした表示形態で縦２４０ドット×横３２０ドットの動画が表示可能である。アンテナ１０３は、本体部３の背面に設けられており、伸縮自在となっている。
【００１８】
本体部３の前面には、カメラキー１０４、メールキー１０５、十字キー１０６、決定キー１０７、アドレスキー１０８、ネット接続キー１０９、クリアキー１１０、オンフックキー１１１とオフフックキー１１２、テンキー１１３が設けられている。これらのキーにおいて、十字キー１０６、決定キー１０７、アドレスキー１０８、ネット接続キー１０９は、この携帯電話１を右手で握持した場合、当該右手の親指で操作可能な位置に配置されている。また、本体部３の側面には、蓋を閉じた状態で動画撮影を開始するためのシャッターキー１１３ｂである。
【００１９】
カメラキー１０４は、電源オン状態におけるカメラモードへの移行、後述するＤＳＰ１４０の起動を指示するためのキーである。メールキー１０５は、メールモードへの移行、メールプログラムのロードを指示するためのキーである。十字キー１０６は、カーソルの移動、フォーカス（選択）の移動を指示するためのキーである。決定キー１０７は、モード選択を決定したり、選択を決定したり、撮影モードでのシャッターキーとして用いられるキーである。アドレスキー１０８は、アドレス帳データを表示するためのキーである。ネット接続キー１０９は、インターネットへ接続するためのキーである。クリアキー１１０は、選択などをキャンセルするためのキーである。オンフックキー１１１は、回線を接続するためのキーである。オフフックキー１１２は、電話モード／カメラモード兼用電源オフキー、電話モード立ち上げ用電源オンキー、回線を切断するためのキーである。テンキー１１３は、文字入力やダイアル入力を行うためのキーである。マイク１１４は、本体部３の下部に設けられており、通話時における音声入力を行なう。カードスロット（カバー）１１５は、外部記録メディア（例えば、ｍｉｎｉＳＤカード）を装着するスロットである。
【００２０】
蓋部２の背面には、サブ表示部１１６が設けられており、携帯電話１が閉じられた状態において、日時表示や、着信報知、メール着信報知、静止画や動画撮影時の補助画面などに用いられる他、カメラモードにおいては、後述する撮像レンズ１１８にて逐次撮り込まれる画像をモニター表示するためのファインダーとして機能する。報知用ＬＥＤ１１７は、発光することにより着信報知、メール着信報知を行う。撮像レンズ１１８は、静止画や動画を撮影する。フラッシュ用ＬＥＤ１１９は、静止画や動画撮影時に発光し、露出不足を防止するための発光手段である。報知スピーカ１２０は、着信や緊急時などを報知する他、カメラモードにおいては被写対象に聞こえるようにシャッター音を出力するものである。１２１はバッテリバックである。
【００２１】
次に、図２は、上述したカメラ付き携帯電話１の構成を示すブロック図である。図において、無線送受信部１３０は、無線によりアンテナ１０３を介して音声やデータ（メールデータ）を送受し変調／復調するなど、ＰＳＫ方式に基づく変復調、ＣＤＭＡ方式に基づく端末認証処理を含む通信処理を行う。
【００２２】
通信制御部１３１は、ＷＷＷ接続制御を含む当該機器を制御する。通信データ処理部１３１１は、ＣＬＥＰ系音声復号処理回路、パケットデータ生成回路、およびパケットデータ復元回路を含み、通信プロトコルに沿ったデータ処理を行う。オーディオインターフェース１３１２は、通信データ処理部１３１１で処理される音声信号の入出力処理を行い、マイク１１４からの音声を入力して音声信号に変換して、音声信号をスピーカ１０１から出力する。
【００２３】
システムＲＯＭ１３２は、図３に示すようなデータ構造を有し、主に無線通信処理全般を制御するための基本ＯＳやプロトコルプログラムを格納するプロトコル・プログラムエリア、端末の認証に必要な各種データ（加入者ＩＤを含む）などを格納する不揮発性設定データエリアからなる。ＲＡＭ１３３は、図４に示すようなデータ構造を有し、通信処理に関連するドライバやワークエリアからなる。画像処理制御部１３４は、撮影時または再生時における動画／静止画に対する、ＭＰＥＧ（ＭＰＥＧ４）／ＪＰＥＧエンコードおよびデコード処理全般を行う。ＲＡＭ１３５は、図５に示すデータ構造を有し、アプリケーションヒープ（システムリソース領域）等を有するワークエリア、ユーザデータなどを格納するバックアップエリア、ファイルシステムを格納するシステム管理エリア、キャッシュメモリエリア、その他のエリアからなる。プログラムＲＯＭ１３６は、書き換え可能なＦｌａｓｈ  ＲＯＭで構成され、図６に示すようなデータ構造を有し、画像・イラスト・フォントなどを格納するデータエリア、ユーザデータ管理データやファイルシステム管理データなどを格納するファイルシステムエリア、データやプログラムなどを格納する辞書エリア、ＵＩプログラムエリアからなる。特に本実施例１においては、ＤＳＰ１４０の制御プログラムを格納している。
【００２４】
表示モジュール系ドライバ１３７は、表示バッファを含み、サブ表示部１１６、メイン表示部１０２、報知用ＬＥＤ１１７、フラッシュ用ＬＥＤ１１９を駆動させる。ステップモータ１３８は、撮像レンズ１１８のズーム制御を行う。撮像デバイス１３９は、有効画素２００万画素相当のＣＣＤ、若しくはＣＭＯＳで構成され、撮像レンズ１１８により集束された映像をカラー画像として取り込み、Ａ／Ｄ変換を行ってカメラ内信号処理部１４０のＲＡＭ１５０に順次出力する。ＤＳＰ１５１は、カメラ内信号処理部１４０に含まれており、撮像デバイス１３９にて撮り込まれ、ＲＡＭ１５０に順次記憶される撮像データを、設定されたフレームレートに応じて切り出して読み出しストリームデータを生成する。撮像デバイス１３９は、ノーマルモードで７．５ＦＰＳのフレームレート、ドラフトモードにおいて、１５ＦＰＳのフレームレートでキャプチャ（撮像）する能力を備える。尚、ＲＡＭ１５０は、カメラ付き携帯電話１のメイン表示部１０２の縦横比に対応させて最大ＵＸＧＡサイズの静止画像をキャプチャできる１２００×１６００ドットの記憶領域を備えた２つのバッファメモリからなる。
【００２５】
音源ＩＣ１４２は、着信音などを生成する。アンプ１４３は、音源ＩＣ１４２からの音声信号を増幅し、報知スピーカ１２０から出力する。コネクタ１４４は、外部記録媒体１４５を装着する。外部インターフェースコントローラ１４６は、ＵＳＢインターフェース、１８芯コネクタの両方のインターフェースを切り替え、外部機器との間でデータの送受信を制御する。ユーザメモリ１４９は、図７に示すようなデータ構造を有し、ダウンロードしたデータや、撮影した画像データ、動画ファイル、メールデータ、アドレス帳データなどを格納するデータエリア、リードオンリエリア、ファイルシステム管理データからなる。アドレスデータバス処理部１２３は、通信制御部１３１、画像処理制御部１３４のアドレス制御、バスのデータの流れを制御する。
【００２６】
Ａ−２．第１実施形態の動作
次に、上述した第１実施形態の動作について説明する。図８および図９は、本第１実施形態におけるムービーモードの処理の流れを示したフローチャートである。また、図１０は、ムービーモードでの動画を記録する際の動作を説明するための概念図である。
【００２７】
まず、着信待受け状態より、ユーザの操作により、ムービーモードが指示されると、画像処理制御部１３４より、ステップモータ１３８、撮像デバイス１３９、及び、カメラ内信号処理部１４０（ＤＳＰ１５１）に制御信号が入力され、撮像デバイス１３９、ＲＡＭ１５０、画像処理制御部１３４、ＲＡＭ１３５を経て入力されたストリームデータに基づく映像をメイン表示部１０２に表示させるスルー表示状態になる。このスルー表示状態において、アドレスキー１０８の操作検出によるサブメニュー選択指示の有無を判断し（ステップＳ１０）、選択指示を検出した場合はステップＳ１２へ、検出しない場合はＳサイズ（縦８０×横９０ドット）の撮影が設定され（ステップＳ１４）、その設定に応じたムービー撮影処理をユーザの指示操作に応じて行う（ステップＳ１６）。尚、撮影された動画ファイルは電子メールに添付して送信することを前提としているため、録画時間に最長３０秒の制限がかけられる。
【００２８】
一方、ステップＳ１０において選択指示を検出すると、メイン表示部１０２にはスルー表示状態に切り替えてサブメニューにおける各種設定の選択画面が表示される。そして、撮影サイズについてのユーザの選択指示を待つ（ステップＳ１８）。撮影サイズとしてＳサイズ、若しくはＭサイズ（縦９６×横１２８ドット）の選択が検出されると、ステップＳ１６の処理に移行する。一方、Ｌサイズ（縦１４４×横１７６ドット）の選択を検出すると、ステップＳ１６以降の７．５ＦＰＳのフレームレートで撮影するノーマルモード処理に移る。
【００２９】
この場合の撮影処理をイメージ化した図１０を参照して説明すると、７．５ＦＰＳのフレームレートの撮影が指示されると、画像処理制御部１３４は、「ノーマルモード処理」を設定する（ステップＳ２０）。ＤＳＰ１５１は、この「ノーマルモード処理」の指示に従いＲＡＭ１５０に順次記憶される１２００×１６００ドットの画素領域Ａのうち、画面領域Ｇ（実際の撮像データの表示画角はＨ）についてと交互に２回書き出し、当該携帯電話１が正立する状態（縦長表示／横長サイズの動画表示）で正常に見えるように９０度回転させ、縦３２０ドット×横２４０ドットの画面領域Ｇ’に表示される縦１４４ドット×横１７６ドットのＹＵＶ形式のストリームデータＣ’を生成する。
【００３０】
生成されたストリームデータＣ’は、一旦ＲＡＭ１３５のアプリケーションヒープ（システムリソース領域）に格納される。そして、ＲＡＭ１３５のアプリケーションヒープ（システムリソース領域）に順次格納されるストリームデータＤ’を読み出して、ＹＵＶ−ＲＧＢ変換してストリームデータＦ’を生成し、表示モジュール系ドライバ１３７にあるメイン表示部１０２の表示バッファに出力する（ステップＳ２２）。
【００３１】
しかる後、ユーザの決定キー１０７の操作を検出することにより、撮影のスタートを検出すると（ステップＳ２４）、画像の撮り込みを開始する（ステップＳ２６）。画像処理制御部１３４は、ＲＡＭ１３５に記憶されたストリームデータＤ’についてＭＰＥＧ４形式の圧縮処理を施し、ＭＰＥＧ４データＥ’としてＲＡＭ１３５のその他の領域への保存を継続する（ステップＳ２８）。このステップＳ２６からステップＳ２８までの一連の処理を継続する一方で、ユーザのアドレスキー１０８の操作によるリスタートが検出されたか否かを判断する（ステップＳ３０）。
【００３２】
アドレスキー１０８（リスタート）の操作が検出されなければ、再びユーザの決定キー１０７の操作による撮影停止が検出されたか否かを判断する（ステップＳ３２）。そして、決定キー１０７の操作が検出されなければ、画像の撮り込み処理をステップＳ２６から継続するが、検出された場合は撮影終了と判断し、スルー表示状態から保存するか否かをユーザに問い合わせる確認をメイン表示部１０２に表示させ（ステップＳ３６）、保存の指示検出の有無を判断する（ステップＳ３８）。保存指示されなければ確認表示状態に戻り、しかるべき処理を検出すれば、ＲＡＭ１３５の記憶内容の消去を行うが、保存指示を検出した場合は、ＲＡＭ１３５に記憶されたＭＰＥＧ４データＥ’を動画ファイルをユーザメモリ１４９の所定の記憶領域に転送・記憶させ（ステップＳ４０）、スルー表示状態に戻る。
【００３３】
一方、撮影途中で、アドレスキー１０８（リスタートキー）の操作が検出されると、バッファであるＲＡＭ１３５の記憶内容の消去（クリア）した後、そのまま、ステップＳ２６から動画撮影を継続する。したがって、特別な操作なく、アドレスキー１０８（リスタート）を操作するだけで、それまで撮影した動画が消去され、直ぐに新たな動画の撮影が継続されることになる。
【００３４】
上述した第１実施形態によれば、カメラ付き携帯電話による動画撮影途中において、アドレスキー１０８（リスタート）を押下すると、それまで撮影した動画データを消去した後、動画撮影自体をそのまま継続するので、煩雑な操作なく、１つのキー操作だけで、アドレスキー１０８（リスタート）の押下直後から動画撮影を継続することができる。したがって、動画撮影途中でも容易に撮り直すことができ、所望する撮影シーンを撮り逃すことが少なくなる。
【００３５】
Ｂ．第２実施形態
Ｂ−１．第２実施形態の構成
次に、本発明の第２実施形態について説明する。図１１（ａ）〜（ｃ）および図１２は、各々、本第２実施形態によるデジタルカメラの上面側、正面側、底面側、背面側の外観構成を示す外観図である。図において、デジタルカメラ１９０は、本体部２００と撮像部２０１とから構成されている。撮像部２０１は、撮影時にレンズ３００を被写体側へ向けられるように、本体部２００に対して回動軸を中心にして矢印方向に回動させることができるようになっている。
【００３６】
上記レンズ３００は、撮像部２０１の一端に設けられており、撮像部２０１の長手方向にその光軸を延ばし、他端側に撮像センサが配設されている。また、レンズ３００を被写体に向けた場合に、レンズ３００の上側に位置する箇所には、ストロボフラッシュ用のＬＥＤ３０１が設けられている。また、本体部２００の上面には、電源キー３０２および静止画撮影用のシャッターキー３０３が配設されている。
【００３７】
また、デジタルカメラ１９０の底面には、三脚に固定するためのねじが切られた三脚穴３０４が設けられている。また、外部接続用Ｉ／Ｆ３０５は、例えば、ＵＳＢなど、外部機器を接続するためのインターフェースである。
【００３８】
また、デジタルカメラ１９０の背面側には、液晶表示器からなる表示部３１０が設けられている。また、表示部３１０の上部には、合焦したことを知らせるインジケータ３１１、デジタルカメラ１９０の動作モード（撮影モード、再生モード、動画モードなど）を切り換えるためのモード切換キー３１２が設けられている。さらに、背面側には、動画の撮影開始および撮影停止を指示するためのムービー撮影用スタート／ストップキー３１３、各種設定などを呼び出すためのメニューキー３１４、メニューなどで項目や選択肢などを選択するための十字キー３１５、選択を決定するための決定キー３１６、選択をキャンセルするためのキャンセルキー３１７が設けられている。キャンセルキー３１７は、動画撮影時（動画モード）には、動画撮影を中断し、新たに動画撮影を開始させるためのリスタートキーとしても機能するようになっている。
【００３９】
次に、図１３は、上述したデジタルカメラ１９０の構成を示すブロック図である。なお、図１１または図１２に対応する部分には同一の符号を付けている。図において、画像取得部４１０は、レンズ３００、シャッタ４１２、ＬＰＦ４１３からなる。レンズ３００は、通常の光学レンズであり、非球面レンズを重ねたレンズ群からなり、外部光を集光し、内部に設けられたＣＣＤ上に結像する。
【００４０】
シャッタ４１２は、シャッターキー３０３またはムービー撮影用スタート／ストップキー３１３が操作されると、制御部４２０によって駆動されるドライバ４１４により動作する、所謂メカニカルシャッタである。なお、デジタルカメラによっては、メカニカルシャッタを備えない場合もあり、沈胴式のレンズ構造、メカニカルズームを搭載する機種の場合、これらの駆動制御もドライバ４１４で行なう。ＬＰＦ４１３は、水晶ローパスフィルタであり、モアレの発生を防ぐために搭載されている。
【００４１】
次に、アナログ信号処理部４１５は、撮像センサ（ＣＣＤ，ＣＭＯＳ）４１６、サンプリング／信号増幅処理部４１７、Ａ／Ｄコンバータ４１８からなる。撮像センサ４１６は、被写体画像（イメージ）を結像し、ＲＧＢの各色の光の強さを、電流値に変換する。サンプリング／信号増幅処理部４１７は、ノイズや色むらを抑えるための相関二重サンプリング処理や信号増幅処理を行なう。Ａ／Ｄコンバータ４１８は、アナログフロントエンドとも呼ばれ、サンプリング・増幅したアナログ信号をデジタル信号に変換する（ＲＧＢ，ＣＭＹＧ各色について１２ｂｉｔデータに変換してバスラインに出力する）。
【００４２】
次に、制御部（ＣＰＵ）４２０は、後述するプログラムメモリ格納されるプログラムに基づいてデジタルカメラ１９０の全体を制御する。特に、本第２実施形態では、動画撮影中に、リスタートキー（キャンセルキーと兼用）３１７が押下されると、それまで撮影していた動画データを消去し、再度、動画撮影を開始するという一連の動作を制御する。
【００４３】
プレビューエンジン４２２は、撮影モードや動画モードなどにおいて、画像取得部４１０、アナログ信号処理部４１５を介して入力されたデジタルデータ、もしくはシャッタ操作検出直後、イメージバッファ４２６に格納されたデジタルデータ、および、画像メモリ４３１に格納されたデジタルデータを表示部３１０に表示させるために間引き処理を行なう。
【００４４】
Ｄ／Ａコンバータ４２３は、プレビューエンジン４２２により間引き処理されたデジタルデータを変換し、後段のドライバ４２４に出力する。ドライバ４２４は、後段の表示部３１０に表示されるデジタルデータを一時記憶するバッファ領域を備え、キー操作部４２７、制御部４２０を介して入力された制御信号に基づいて表示部３１０を駆動させる。表示部３１０は、カラーＴＦＴ液晶や、ＳＴＮ液晶などからなり、プレビュー画像や、撮影後の画像データ、設定メニューなどを表示する。
【００４５】
イメージバッファ４２６は、アナログ信号処理部４１５、もしくはデジタル信号処理部４２８を介して入力され、デジタル信号処理部４２８に渡すまで一時的に撮影直後のデジタルデータを格納する。なお、本第２実施形態によるデジタルカメラ１９０では、動画モードにおいて、動画撮影が開始されると、一定経過時間（例えば１００ｍｓｅｃ）毎に動画データを保持するようになっている。キー操作部４２７は、シャッターキー３０３などを含め、記録／再生モードの切り換えキー３１２、ムービー撮影用スタート／ストップキー３１３、キャンセルキー（動画モードではリスタートキー）３１７等からなる。デジタル信号処理部４２８は、アナログ信号処理部４１５を介して入力されたデジタルデータ（非圧縮のＲＡＷイメージデータ）に対して、ホワイトバランス処理、色処理、階調処理、輸郭強調を行なう。画像圧縮／伸張処理部４２９は、デジタル信号処理部４２８を介して入力されたデジタルデータ（非圧縮のＲＡＷイメージデータ）をＪＰＥＧ方式に圧縮符号化したり、再生モードにおいては、ＪＰＥＧ形式のファイルを伸張する。
【００４６】
プログラムメモリ４３０は、制御部４２０にロードされる各種プログラムや、ベストショット機能におけるＥＶ値、色補正情報、被写体の撮影フレーム内における撮影位置（立ち位置）を示す構図情報等の各種をテーブル単位で格納する。また、ＤＣＦ規格に準拠されているファイルに埋め込むべき各種情報も記憶している。画像メモリ４３１は、各種ファイル形式に変換されたデジタルデータを格納する。
【００４７】
カードＩ／Ｆ４３２は、外部記録媒体４３３と撮像装置本体との間のデータ交換を制御する。外部記録媒体４３３は、コンパクトフラッシュ（登録商標）、メモリースティック、ＳＤカード等からなる。なお、本実施形態では、ベストショット機能としてロードされる各種制御情報を独自ファイル形式で格納している場合もある。外部接続用Ｉ／Ｆ３０５は、ＵＳＢコネクター用スロットなどからなり、パーソナルコンピュータなどと接続され、撮影した画像データの転送などに用いられる。ＬＥＤドライバ４３５は、制御部４２０による制御に従って、ストロボフラッシュ用のＬＥＤ３０１の発光を制御する。
【００４８】
次に、図１４は、本第２実施形態によるデジタルカメラ１９０において、イメージバッファ４２６に一時的に格納される動画データのデータ構成を示す概念図である。イメージバッファ４２６には、前述したように、動画撮影が開始されると、一定経過時間（例えば１００ｍｓｅｃ）毎に、動画データＤＡＴＡ＿０００、ＤＡＴＡ＿００１、…、ＤＡＴＡ＿１５０（この場合、最長１５秒としている）を保持するようになっている。
【００４９】
Ｂ−２．第２実施形態の動作
次に、上述した第２実施形態によるデジタルカメラ１９０の動作（動画モード）について説明する。ここで、図１５ないし図１８は、本第２実施形態によるデジタルカメラ１９０の動作（動画モード）を説明するためのフローチャートである。また、図１９（ａ）〜（ｃ）は、本第２実施形態によるデジタルカメラ１９０の動画モードにおける表示部３１０の表示例を示す模式図である。
【００５０】
モード切換キー３１２により動画モードが選択されると、まず、画像取得部４１０、アナログ信号処理部４１５を起動し、図１９（ａ）に示すプレビュー画面を表示部３１０に表示する（ステップＳ６０）。プレビュー画面では、後述する撮影している映像を表示する表示領域５００と、動画撮影を開始する動画ボタン５０１（ムービー撮影スタート／ストップキー３１３の操作に相当）、動画撮影を停止する停止ボタン５０２（撮影中のムービー撮影スタート／ストップキー３１３の操作）が表示される。
【００５１】
次に、レンズ３００を介して撮像センサ４１６により撮影した映像を、プレビューエンジン４２２により間引き、Ｄ／Ａコンバータ４２３、ドライバ４２４を介して、表示部３１０（の表示領域５００）にスルー表示する（ステップＳ６２）。次に、ムービー撮影スタート／ストップキー３１３の操作（録画に相当）が検出されたか否かを判断し（ステップＳ６４）、ムービー撮影スタート／ストップキー３１３の操作が検出されない場合には、再度、ムービー撮影スタート／ストップキー３１３の操作（終了に相当）が検出されたか否かを判断する（ステップＳ６６）。そして、ムービー撮影スタート／ストップキー３１３の再操作が検出されない場合には、ステップＳ６２へ戻り、スルー表示を継続する。
【００５２】
一方、ムービー撮影スタート／ストップキー３１３の操作（録画に相当）が検出された場合には、録画タイマを起動する（ステップＳ６８）。該録画タイマは、録画可能時間を計時するためのものであり、例えば１５秒に設定されている。
【００５３】
次に、図１９（ｂ）に示す録画状態画面を表示部３１０に表示する（ステップＳ７０）。録画状態画面では、表示領域５００に現在撮影している映像が表示されるとともに、さらに、動画撮影を中止するための中止キー５０３（例えばメニューキー３１４の操作に相当）、現在撮影している動画データを消去し、新たに動画撮影を開始するためのリスタートボタン５０４（キャンセルキー３１７の操作に相当）、および録画時間５０５（実際には後述するステップで表示される）が表示される。
【００５４】
次に、録画タイマが終了したか否かを判断し（ステップＳ７２）、終了していない場合、すなわち録画可能時間に達していない場合には、終了キーすなわちムービー撮影スタート／ストップキー３１３の操作（終了に相当）が検出されたか否かを判断する（ステップＳ７４）。そして、ムービー撮影スタート／ストップキー３１３の操作が検出されない場合には、中止キー（メニューキー３１４）５０３の操作が検出されたか否かを判断し（ステップＳ７６）、中止キー（メニューキー３１４）５０３の操作が検出されない場合には、リスタートボタン５０４（キャンセルキー３１７）の操作が検出されたか否かを判断する（ステップＳ８２）。
【００５５】
そして、リスタートボタン５０４（キャンセルキー３１７）の操作が検出されない場合には、図１９（ｂ）に示す録画状態画面に撮影可能な残り時間を表示する（ステップＳ８８）。次に、取り込み間隔（１００ｍｓｅｃ）が経過したか否かを判断し（ステップＳ９０）、取り込み間隔が経過していない場合には、撮影画像をイメージバッファ４２６にバッファリングする（ステップＳ９２）。一方、取り込み間隔が経過した場合には、イメージバッファ４２６にバッファリングした撮影画像を画像メモリ４３１に転送する（ステップＳ９４）。そして、いずれの場合も、ステップＳ７４へ戻り、動画撮影を継続する。
【００５６】
一方、ステップＳ７２で動画撮影中にタイマが終了した場合、あるいはステップＳ７４で終了キー（ムービー撮影スタート／ストップキー３１３）５０２の操作が検出された場合には、図１９（ｃ）に示す録画終了状態画面を表示する（ステップＳ９６）。録画終了画面では、録画した動画を保存するための保存ボタン（決定キー３１６に相当）５０６、録画した動画を消去する終了ボタン（キャンセルキー３１７に相当）５０７が表示される。
【００５７】
次に、保存ボタン（決定キー３１６）５０６の操作が検出されたか否かを判断し（ステップＳ９８）、検出されない場合には、終了ボタン（キャンセルキー３１７）５０７の操作が検出されたか否かを判断する（ステップＳ１００）。そして、いずれも検出されなかった場合には、ステップＳ９８へ戻る。これに対して、保存ボタン（決定キー３１６）５０６の操作が検出されると、画像メモリ４３１に転送された撮影画像を、デジタル信号処理部４２８により画像処理するとともに、画像圧縮／伸張処理部４２９により圧縮符号化するなどして、画像メモリ４３１に保存する（ステップＳ１０２）。また、終了ボタン（キャンセルキー３１７）５０７の操作が検出された場合には、イメージバッファ４２６にバッファリングされた撮影画像を消去して当該処理を終了する（ステップＳ１０４）。
【００５８】
次に、動画撮影中にステップＳ７６で中止キー（メニューキー３１４）の操作を検出した場合には、録画タイマを停止し（ステップＳ７８）、イメージバッファ４２６にバッファリングしていた動画データおよび画像メモリ４３１に転送して保存しておいた動画データをクリアし（ステップＳ８０）、前述したステップＳ６０のプレビュー画面の表示へ戻る。
【００５９】
また、動画撮影中にステップＳ８２でリスタートキー（キャンセルキー３１７）の操作が検出された場合には、イメージバッファ４２６にバッファリングしていた動画データおよび画像メモリ４３１に転送して保存しておいた動画データを消去し（ステップＳ８４）、録画タイマを再起動し（ステップＳ８６）、ステップＳ７２に戻り、新たに動画撮影を継続する。
【００６０】
上述した第２実施形態によれば、デジタルカメラによる動画撮影途中において、キャンセルキー３１７（リスタート）を押下すると、それまで撮影した動画データを消去した後、動画撮影自体をそのまま継続するので、煩雑な操作なく、１つのキー操作だけで、キャンセルキー３１７（リスタート）の押下直後から新たに動画を撮影することができる。したがって、動画撮影途中でも容易に撮り直すことができ、所望する撮影シーンを撮り逃すことが少なくなる。
【００６１】
Ｃ．第３実施形態
Ｃ−１．第３実施形態の構成
次に、本発明の第３実施形態について説明する。なお、デジタルカメラ１９０の外観、構成は、前述した第２実施形態と同じであるので説明を省略する。本第３実施形態では、動画撮影中に、リスタートキー（キャンセルキー３１７）が操作されると、その時点からＮ秒前までの動画を残し、該動画に続けて動画撮影を継続することを特徴としている。すなわち、リスタートキー（キャンセルキー３１７）が操作された時点からＮ秒前以前に相当するフレーム（撮影動画）を消去するようになっている。
【００６２】
ここで、図２０（ａ）、（ｂ）は、本第３実施形態によるデジタルカメラ１９０において、イメージバッファ４２６に一時的に格納される動画データのデータ構成を示す概念図である。図２０（ａ）に示すように、イメージバッファ４２６には、前述したように、動画撮影が開始されると、一定経過時間（例えば１００ｍｓｅｃ）毎に、動画データＤＡＴＡ＿０００、ＤＡＴＡ＿００１、……、ＤＡＴＡ＿（Ｍ−Ｎ）、ＤＡＴＡ＿（Ｍ−Ｎ＋１）、……、ＤＡＴＡ＿Ｍというように順次保持するようになっている。
【００６３】
そして、動画撮影中、ＤＡＴＡ＿Ｍをバッファリングした時点で、リスタートキー（キャンセルキー３１７）が操作されると、その時点からＮ秒前までの撮影動画データフレームＤＡＴＡ＿（Ｍ−Ｎ）、ＤＡＴＡ＿（Ｍ−Ｎ＋１）、…を残し、それ以前の撮影動画データフレームＤＡＴＡ＿０００〜ＤＡＴＡ＿（Ｍ−Ｎ）直前までを消去し、上記撮影動画データフレームＤＡＴＡ＿（Ｍ−Ｎ）、ＤＡＴＡ＿（Ｍ−Ｎ＋１）、…を削除した領域へ移動するという処理を行うようになっている。この結果、図２０（ｂ）に示すように、経過時間Ｍ−Ｎ、Ｍ−Ｎ＋１００、……、Ｍに対応して、撮影動画データフレームＤＡＴＡ＿（Ｍ−Ｎ）、ＤＡＴＡ＿（Ｍ−Ｎ＋１）、…、ＤＡＴＡ＿Ｍが残った状態に引き続き、次の撮影動データが保存（バッファリング）されていくことになる。
【００６４】
Ｃ−２．第３実施形態の動作
次に、上述した第３実施形態の動作について説明する。ここで、図２１ないし図２５は、本第３実施形態によるデジタルカメラ１９０の動作（動画モード）を説明するためのフローチャートである。
【００６５】
モード切換キー３１２により動画モードが選択されると、まず、画像取得部４１０、アナログ信号処理部４１５を起動し、図１９（ａ）に示すプレビュー画面を表示部３１０に表示する（ステップＳ２００）。次に、レンズ３００を介して撮像センサ４１６により撮影した映像を、プレビューエンジン４２２により間引き、Ｄ／Ａコンバータ４２３、ドライバ４２４を介して、表示部３１０（の表示領域５００）にスルー表示する（ステップＳ２０２）。次に、ムービー撮影スタート／ストップキー３１３の操作（録画に相当）が検出されたか否かを判断し（ステップＳ２０４）、ムービー撮影スタート／ストップキー３１３の操作が検出されない場合には、再度、ムービー撮影スタート／ストップキー３１３の操作（終了に相当）が検出されたか否かを判断する（ステップＳ２０６）。そして、ムービー撮影スタート／ストップキー３１３の再操作が検出されない場合には、ステップＳ２０２へ戻り、スルー表示を継続する。
【００６６】
一方、ムービー撮影スタート／ストップキー３１３の操作（録画に相当）が検出された場合には、録画タイマを起動する（ステップＳ２０８）。次に、図１９（ｂ）に示す録画状態画面を表示部３１０に表示し（ステップＳ２１０）、録画タイマが終了したか否かを判断し（ステップＳ２１２）、終了していない場合、すなわち録画可能時間に達していない場合には、終了キーすなわちムービー撮影スタート／ストップキー３１３の操作（終了に相当）が検出されたか否かを判断する（ステップＳ２１４）。そして、ムービー撮影スタート／ストップキー３１３の操作が検出されない場合には、中止キー（メニューキー３１４）５０３の操作が検出されたか否かを判断し（ステップＳ２１６）、中止キー（メニューキー３１４）５０３の操作が検出されない場合には、リスタートボタン５０４（キャンセルキー３１７）の操作が検出されたか否かを判断する（ステップＳ２２２）。
【００６７】
そして、リスタートボタン５０４（キャンセルキー３１７）の操作が検出されない場合には、図１９（ｂ）に示す録画状態画面に撮影可能な残り時間を表示する（ステップＳ２２６）。次に、取り込み間隔（１００ｍｓｅｃ）が経過したか否かを判断し（ステップＳ２２８）、取り込み間隔が経過していない場合には、撮影画像をイメージバッファ４２６にバッファリングする（ステップＳ２３０）。一方、取り込み間隔が経過した場合には、イメージバッファ４２６にバッファリングした撮影画像を画像メモリ４３１に転送する（ステップＳ２３２）。そして、いずれの場合も、ステップＳ２１２へ戻り、動画撮影を継続する。
【００６８】
一方、ステップＳ２１０で動画撮影中にタイマが終了した場合、あるいはステップＳ２１４で終了キー（ムービー撮影スタート／ストップキー３１３）５０２の操作が検出された場合には、図１９（ｃ）に示す録画終了状態画面を表示する（ステップＳ２３２）。
【００６９】
次に、保存ボタン（決定キー３１６）５０６の操作が検出されたか否かを判断し（ステップＳ２３４）、検出されない場合には、終了ボタン（キャンセルキー３１７）５０７の操作が検出されたか否かを判断する（ステップＳ２３６）。そして、いずれも検出されなかった場合には、ステップＳ２３４へ戻る。これに対して、保存ボタン（決定キー３１６）５０６の操作が検出されると、画像メモリ４３１に転送された撮影画像を、デジタル信号処理部４２８により画像処理するとともに、画像圧縮／伸張処理部４２９により圧縮符号化するなどして、画像メモリ４３１に保存する（ステップＳ２３８）。また、終了ボタン（キャンセルキー３１７）５０７の操作が検出された場合には、イメージバッファ４２６にバッファリングされた撮影画像を消去して当該処理を終了する（ステップＳ２４０）。
【００７０】
次に、動画撮影中にステップＳ２１６で中止キー（メニューキー３１４）の操作を検出した場合には、録画タイマを停止し（ステップＳ２１８）、イメージバッファ４２６にバッファリングしていた動画データおよび画像メモリ４３１に転送して保存しておいた動画データをクリアし（ステップＳ２２０）、前述したステップＳ２００のプレビュー画面の表示へ戻る。
【００７１】
また、動画撮影中にステップＳ２２２でリスタートキー（キャンセルキー３１７）の操作が検出された場合には、取り込み間隔（１００ｍｓｅｃ）が経過したか否かを判断する（ステップＳ２４２）。ここで、取り込み間隔が経過していない場合には、そのままステップＳ２１２へ戻り、引き続き動画撮影を継続する。一方、取り込み間隔が経過している場合には、０秒目〜（Ｍ−Ｎ）秒目までのフレームに相当する撮影画像データを消去し（ステップＳ２４４）、（Ｍ−Ｎ）〜Ｍ秒目までのフレームに相当する撮影画像データを、０秒目から格納し直す（ステップＳ２４６）。次に、録画タイマをＮ秒目（Ｎ秒経過）に変更し（ステップＳ２４８）、図１９（ｂ）に示す録画状態画面に撮影可能な残り時間を表示する（ステップＳ２５０）。その後、ステップＳ２１２へ戻り、引き続き動画撮影を継続する。
【００７２】
上述した第３実施形態によれば、デジタルカメラによる動画撮影途中において、キャンセルキー３１７（リスタート）を押下すると、その時点からＮ秒前までの動画データから引き続き動画撮影をそのまま継続するので、煩雑な操作なく、１つのキー操作だけで、キャンセルキー３１７（リスタート）の押下直後からＮ秒前までのフレームの動画データに続けて撮影することができる。したがって、動画撮影途中でも容易に撮り直すことができ、所望する撮影シーンを撮り逃すことが少なくなる。
【００７３】
尚、本第１〜３実施形態では、取り直しの際には、今まで撮影していた動画ファイルを消去するようにしたが、これを破棄扱い（一時的に予め用意された”ゴミ箱”等の特定のフォルダに転送すること）とし、その後の編集処理で一度破棄扱いとした動画ファイルを復元させるようにしても良い。
【図面の簡単な説明】
【００７４】
【図１】本発明の第１実施形態のカメラ付き携帯電話の外観図（開状態：正面図、側面図）である。
【図２】カメラ付き携帯電話１の構成を示すブロック図である。
【図３】システムＲＯＭ１３２のデータ構造を示す概念図である。
【図４】ＲＡＭ１３３のデータ構造を示す概念図である。
【図５】ＲＡＭ１３５のデータ構造を示す概念図である。
【図６】プログラムＲＯＭ１３６のデータ構造を示す概念図である。
【図７】ユーザメモリ１４９のデータ構造を示す概念図である。
【図８】本第１実施形態におけるムービーモードの処理の流れを示したフローチャートである。
【図９】本第１実施形態におけるムービーモードの処理の流れを示したフローチャートである。
【図１０】ムービーモードでの動画を記録する際の動作を説明するための概念図である。
【図１１】本第２実施形態によるデジタルカメラの上面側、正面側、底面側の外観構成を示す外観図である。
【図１２】本第２実施形態によるデジタルカメラの背面側の外観構成を示す外観図である。
【図１３】デジタルカメラ１９０の構成を示すブロック図である。
【図１４】本第２実施形態によるデジタルカメラ１９０において、イメージバッファ４２６に一時的に格納される動画データのデータ構成を示す概念図である。
【図１５】本第２実施形態によるデジタルカメラ１９０の動作（動画モード）を説明するためのフローチャートである。
【図１６】本第２実施形態によるデジタルカメラ１９０の動作（動画モード）を説明するためのフローチャートである。
【図１７】本第２実施形態によるデジタルカメラ１９０の動作（動画モード）を説明するためのフローチャートである。
【図１８】本第２実施形態によるデジタルカメラ１９０の動作（動画モード）を説明するためのフローチャートである。
【図１９】本第２実施形態によるデジタルカメラ１９０の動画モードにおける表示部３１０の表示例を示す模式図である。
【図２０】本第３実施形態によるデジタルカメラ１９０において、イメージバッファ４２６に一時的に格納される動画データのデータ構成を示す概念図である。
【図２１】本第３実施形態によるデジタルカメラ１９０の動作（動画モード）を説明するためのフローチャートである。
【図２２】本第３実施形態によるデジタルカメラ１９０の動作（動画モード）を説明するためのフローチャートである。
【図２３】本第３実施形態によるデジタルカメラ１９０の動作（動画モード）を説明するためのフローチャートである。
【図２４】本第３実施形態によるデジタルカメラ１９０の動作（動画モード）を説明するためのフローチャートである。
【図２５】本第３実施形態によるデジタルカメラ１９０の動作（動画モード）を説明するためのフローチャートである。
【符号の説明】
【００７５】
１  携帯電話（動画撮影装置）
２  蓋部
３  本体部
１０２  メイン表示部
１０４  カメラキー
１０５  メールキー
１０６  十字キー
１０７  決定キー（開始指示手段、操作部）
１０８  アドレスキー（撮り直し指示手段、操作部）
１１３ｂ  シャッターキー（操作部）
１１６  サブ表示部
１１８  撮像レンズ（撮像手段、撮像部）
１１９  フラッシュ用ＬＥＤ
１２３  アドレスデータバス処理部
１３０  無線送受信部
１３１  通信制御部
１３１１  通信データ処理部
１３２  システムＲＯＭ
１３３  ＲＡＭ
１３４  画像処理制御部（消去手段、制御手段）
１３５  ＲＡＭ（記憶手段、メモリ）
１３６  プログラムＲＯＭ
１３７  表示モジュール系ドライバ
１３９  撮像デバイス（撮像手段、撮像部）
１４０  カメラ内信号処理部（撮像手段）
１４６  外部インターフェースコントローラ
１４９  ユーザメモリ
１５０  ＲＡＭ
１５１  ＤＳＰ（撮像手段）
１９０  デジタルカメラ（動画撮影装置）
２００  本体部
２０１  撮像部
３００  レンズ（撮像手段、撮像部）
３０１  フラッシュ用のＬＥＤ
３０３  シャッターキー
３１０  表示部
３１２  モード切換キー
３１３  ムービー撮影用スタート／ストップキー（開始指示手段、操作部）
３１４  メニューキー
３１５  十字キー
３１６  決定キー
３１７  キャンセルキー（撮り直し指示手段、操作部）
４１０  画像取得部（撮像手段、撮像部）
４１５  アナログ信号処理部（撮像手段、撮像部）
４１６  撮像センサ（撮像手段、撮像部）
４１７  信号増幅処理部（撮像手段、撮像部）
４１８  Ａ／Ｄコンバータ（撮像手段、撮像部）
４２０  制御部（消去手段、制御手段）
４２２  プレビューエンジン
４２６  イメージバッファ
４２７  キー操作部（操作部）
４２８  デジタル信号処理部（動画作成手段）
４２９  画像圧縮／伸張処理部（動画作成手段）
４３０  プログラムメモリ
４３１  画像メモリ（記憶手段、メモリ）
４３２  カードＩ／Ｆ
４３３  外部記録媒体
４３５  ドライバ
【図１】
2005318189.tif 000003
【図２】
2005318189.tif 000004
【図３】
2005318189.tif 000005
【図４】
2005318189.tif 000006
【図５】
2005318189.tif 000007
【図６】
2005318189.tif 000008
【図７】
2005318189.tif 000009
【図８】
2005318189.tif 000010
【図９】
2005318189.tif 000011
【図１０】
2005318189.tif 000012
【図１１】
2005318189.tif 000013
【図１２】
2005318189.tif 000014
【図１３】
2005318189.tif 000015
【図１４】
2005318189.tif 000016
【図１５】
2005318189.tif 000017
【図１６】
2005318189.tif 000018
【図１７】
2005318189.tif 000019
【図１８】
2005318189.tif 000020
【図１９】
2005318189.tif 000021
【図２０】
2005318189.tif 000022
【図２１】
2005318189.tif 000023
【図２２】
2005318189.tif 000024
【図２３】
2005318189.tif 000025
【図２４】
2005318189.tif 000026
【図２５】
2005318189.tif 000027